(57)【要約】【課題】高さの異なる床間を連絡する動線を確保して、高さの異なる床間を容易かつ確実に行き来することができる建物を提供することを目的とする。【解決手段】上階２と下階１とを備え、下階床１ａの一部の上に第１中間床１ｂが設けられるとともに、上階床２ａの一部の上に第２中間床２ｂが設けられた建物Ａ。建物本体Ａ１の略中央に、この建物本体Ａ１の上下方向に沿って階段室３０が設けられており、この階段室３０は、各床１ａ，１ｂ，２ａ，２ｂを連絡する第１〜第３階段３１，３２，３３を備え、各床１ａ，１ｂ，２ａ，２ｂ上には、部屋および収納室のうちの少なくとも一方が、前記階段室３０に隣接するようにして設けられている。これにより、建物本体の略中央に、高さの異なる床間を連絡する動線としての階段室を確保でき、高さの異なる床間を容易かつ確実に行き来できる。【選択図】図１
2009035880.tif 000002
【特許請求の範囲】
【請求項１】
上階と下階とを備え、下階床の一部の上に第１中間床が設けられるとともに、上階床の一部の上に第２中間床が設けられた建物において、
建物本体の略中央に、この建物本体の上下方向に沿って階段室が設けられており、
この階段室は、前記下階床と第１中間床とを連絡する第１階段と、前記第１中間床と上階床とを連絡する第２階段と、前記上階床と第２中間床とを連絡する第３階段とを備えており、
前記各床上には、部屋および収納室のうちの少なくとも一方が、前記階段室に隣接するようにして設けられていることを特徴とする建物。
【請求項２】
請求項１に記載の建物において、
前記階段室は、前記第１階段と第２階段との間に設けられ、前記第１中間床と略等しい高さに位置する第１踊り場と、前記第２階段と第３階段との間に設けられ、前記上階床と略等しい高さに位置する第２踊り場と、前記第３階段の上端に設けられ、前記第２中間床と略等しい高さに位置する第３踊り場とを備えていることを特徴とする建物。
【請求項３】
請求項２に記載の建物において、
前記第１中間床と第２中間床との間に、第１中間部屋が、前記上階床の一部を貫通して前記上階に突出するようにして設けられており、
この第１中間部屋には、前記第１踊り場との間に、この第１踊り場に面する出入口が設けられていることを特徴とする建物。
【請求項４】
請求項２または３に記載の建物において、
前記上階床上には、前記下階に設けられる部屋の直上に位置する上階の部屋が設けられるとともに、前記上階床と第２中間床との間に、前記上階の部屋に隣接する低天井収納室が設けられており、
これら上階の部屋および低天井収納室には、前記第２踊り場との間に、この第２踊り場に面する出入口がそれぞれ設けられていることを特徴とする建物。
【請求項５】
請求項３または４に記載の建物において、
前記第２中間床上には、前記低天井収納室の直上に位置する第２中間部屋と、前記第１中間部屋の直上に位置する第３中間部屋とが、これら第２中間部屋および第３中間部屋の上部が前記建物躯体の小屋裏に突出するようにして設けられており、
これら第２中間部屋および第３中間部屋には、前記第３踊り場との間に、この第３踊り場に面する出入口がそれぞれ設けられていることを特徴とする建物。
【発明の詳細な説明】
【技術分野】
【０００１】
本発明は、上階と下階とを備え、下階床の一部の上に第１中間床が設けられるとともに、上階床の一部の上に第２中間床が設けられた建物に関する。
【背景技術】
【０００２】
建物の床下や天井裏を収納庫として利用するようにした建物が利用されている。このような収納庫を形成した建物とすれば、通常使用されていない天井裏や床下の空間を有効利用することが可能となり、建物内部の空間の利用率を向上することができる。
このような収納庫を備えた建物として特許文献１に記載のものが知られている。この特許文献１に記載の建物では、上下階間に収納庫を備えており、この収納庫の上面には建物の上階から出入り可能な上階用開口部が形成されているとともに、その下面には前記建物の下階から出入り可能な下階用開口部が形成され、これらの上階用開口部および下階用開口部の平面位置が互いに異なるようにしてある。
このような建物では、下階用開口部および上階用開口部の平面位置が互いに異なっているので、それぞれの開口部を利用して上階用の収納庫と下階用の収納庫との区分けが容易になるという利点がある。
【特許文献１】特開平１０−２０５１５０号公報
【発明の開示】
【発明が解決しようとする課題】
【０００３】
ところで、上記のような収納庫を戸建住宅等に適用した場合、例えば、下階から上階専用の収納庫に物品を収納する際は、下階から上階まで一旦上がり、その後、上階用開口部から上階専用の収納庫に入って物品を収納しなければならない等、それぞれ高さの異なる部屋と部屋との間や収納室と収納室との間、部屋と収納室との間を行き来しにくい場合があった。このため、建物内の高さの異なる床間を連絡する動線を確保して、高さの異なる床間を容易かつ確実に行き来することができるような技術の開発が望まれていた。
【０００４】
本発明の課題は、高さの異なる床間を連絡する動線を確保して、高さの異なる床間を容易かつ確実に行き来することができる建物を提供することを目的とする。
【課題を解決するための手段】
【０００５】
請求項１に記載の発明は、例えば図１〜図４に示すように、上階２と下階１とを備え、下階床１ａの一部の上に第１中間床１ｂが設けられるとともに、上階床２ａの一部の上に第２中間床２ｂが設けられた建物Ａにおいて、
建物本体Ａ１の略中央に、この建物本体Ａ１の上下方向に沿って階段室３０が設けられており、
この階段室３０は、前記下階床１ａと第１中間床１ｂとを連絡する第１階段３１と、前記第１中間床１ｂと上階床２ａとを連絡する第２階段３２と、前記上階床２ａと第２中間床２ｂとを連絡する第３階段３３とを備えており、
前記各床１ａ，１ｂ，２ａ，２ｂ上には、部屋および収納室のうちの少なくとも一方が、前記階段室３０に隣接するようにして設けられていることを特徴とする。
【０００６】
請求項１に記載の発明によれば、前記階段室３０は、前記下階床１ａと第１中間床１ｂとを連絡する第１階段３１と、前記第１中間床１ｂと上階床２ａとを連絡する第２階段３２と、前記上階床２ａと第２中間床２ｂとを連絡する第３階段３３とを備えているので、これら各階段３１，３２，３３によって、建物Ａ内の高さの異なる床１ａ，１ｂ，２ａ，２ｂどうしを連絡することができる。したがって、前記建物本体Ａ１の略中央に、高さの異なる床１ａ，１ｂ，２ａ，２ｂ間を連絡する動線としての階段室３０を確保でき、高さの異なる床１ａ，１ｂ，２ａ，２ｂ間を容易かつ確実に行き来することができる。
そして、前記各床１ａ，１ｂ，２ａ，２ｂ上には、部屋および収納室のうちの少なくとも一方が、前記階段室３０に隣接するようにして設けられているので、従来とは異なり、この階段室３０を通じて、これら床１ａ，１ｂ，２ａ，２ｂ上に設けられる部屋と部屋との間や収納室と収納室との間、部屋と収納室との間を容易かつ確実に行き来することが可能となる。
【０００７】
請求項２に記載の発明は、例えば図１〜図４に示すように、請求項１に記載の建物Ａにおいて、
前記階段室３０は、前記第１階段３１と第２階段３２との間に設けられ、前記第１中間床１ｂと略等しい高さに位置する第１踊り場３１ａと、前記第２階段３２と第３階段３３との間に設けられ、前記上階床２ａと略等しい高さに位置する第２踊り場３２ａと、前記第３階段３３の上端に設けられ、前記第２中間床２ｂと略等しい高さに位置する第３踊り場３３ａとを備えていることを特徴とする。
【０００８】
請求項２に記載の発明によれば、前記階段室３０は、前記第１階段３１と第２階段３２との間に設けられ、前記第１中間床１ｂと略等しい高さに位置する第１踊り場３１ａと、前記第２階段３２と第３階段３３との間に設けられ、前記上階床２ａと略等しい高さに位置する第２踊り場３２ａと、前記第３階段３３の上端に設けられ、前記第２中間床２ｂと略等しい高さに位置する第３踊り場３３ａとを備えているので、前記階段室３０と、前記各床１ａ，１ｂ，２ａ，２ｂとの間の行き来がしやすくなり、このような各踊り場３１ａ，３２ａ，３３ａを備える階段室３０を通じて、高さの異なる床１ａ，１ｂ，２ａ，２ｂ間をより容易かつ確実に行き来することができる。
【０００９】
請求項３に記載の発明は、例えば図１および図３，図５に示すように、請求項２に記載の建物Ａにおいて、
前記第１中間床１ｂと第２中間床２ｂとの間に、第１中間部屋１５が、前記上階床２ａの一部を貫通して前記上階２に突出するようにして設けられており、
この第１中間部屋１５には、前記第１踊り場３１ａとの間に、この第１踊り場３１ａに面する出入口１５ａが設けられていることを特徴とする。
【００１０】
請求項３に記載の発明によれば、前記第１中間部屋１５には、前記第１踊り場３１ａとの間に、この第１踊り場３１ａに面する出入口１５ａが設けられているので、この第１中間部屋１５は、前記階段室３０に出入口１５ａを向けるようにして、前記第１中間床１ｂと第２中間床２ｂとの間に設けられることとなる。したがって、前記第１中間部屋１５に出入りするためには、前記階段室３０を必ず通過することとなるので、このように前記第１中間部屋１５の出入口１５ａが前記第１踊り場３１ａに面して設けられていることによって、この第１踊り場３１ａを介して前記第１中間部屋１５と階段室３０との間を容易に行き来することができる。
【００１１】
また、前記第１中間床１ｂと第２中間床２ｂとの間に、第１中間部屋１５が、前記上階床２ａの一部を貫通して前記上階２に突出するようにして設けられているので、この第１中間部屋１５を建物本体Ａ１内に形成するにあたって、第１中間部屋１５の高さ分、建物Ａを高くする必要がない。これによって、隣接する住宅等の建物への採光、通風をできるだけ確保することが可能となる。
【００１２】
請求項４に記載の発明は、例えば図１および図３，図５に示すように、請求項２または３に記載の建物Ａにおいて、
前記上階床２ａ上には、前記下階１に設けられる部屋１０の直上に位置する上階の部屋２０，２１が設けられるとともに、前記上階床２ａと第２中間床２ｂとの間に、前記上階の部屋２０，２１に隣接する低天井収納室２２が設けられており、
これら上階の部屋２０，２１および低天井収納室２２には、前記第２踊り場３２ａとの間に、この第２踊り場３２ａに面する出入口２０ａ，２１ａ，２２ａがそれぞれ設けられていることを特徴とする。
【００１３】
請求項４に記載の発明によれば、前記上階の部屋２０，２１および低天井収納室２２には、前記第２踊り場３２ａとの間に、この第２踊り場３２ａに面する出入口２０ａ，２１ａ，２２ａがそれぞれ設けられているので、これら上階の部屋２０，２１および低天井収納室２２は、前記階段室３０に出入口２０ａ，２１ａ，２２ａを向けるようにして、前記上階床２ａ上に設けられることとなる。したがって、前記上階の部屋２０，２１および低天井収納室２２に出入りするためには、前記階段室３０を必ず通過することとなるので、このように前記上階の部屋２０，２１および低天井収納室２２の出入口２０ａ，２１ａ，２２ａが前記第２踊り場３２ａに面して設けられていることによって、この第２踊り場３２ａを介して前記上階の部屋２０，２１および低天井収納室２２と、前記階段室３０との間を容易に行き来することができる。
【００１４】
請求項５に記載の発明は、例えば図１および図４，図５に示すように、請求項３または４に記載の建物Ａにおいて、
前記第２中間床２ｂ上には、前記低天井収納室２２の直上に位置する第２中間部屋２３と、前記第１中間部屋１５の直上に位置する第３中間部屋２４とが、これら第２中間部屋２３および第３中間部屋２４の上部が前記建物躯体Ａ１の小屋裏Ａ２に突出するようにして設けられており、
これら第２中間部屋２３および第３中間部屋２４には、前記第３踊り場３３ａとの間に、この第３踊り場３３ａに面する出入口２３ａ，２４ａがそれぞれ設けられていることを特徴とする。
【００１５】
請求項５に記載の発明によれば、前記第２中間部屋２３および第３中間部屋２４には、前記第３踊り場３３ａとの間に、この第３踊り場３３ａに面する出入口２３ａ，２４ａがそれぞれ設けられているので、これら第２中間部屋２３および第３中間部屋２４は、前記階段室３０に出入口２３ａ，２４ａを向けるようにして、前記第２中間床２ｂ上に設けられることとなる。したがって、前記第２中間部屋２３および第３中間部屋２４に出入りするためには、前記階段室３０を必ず通過することとなるので、このように前記第２中間部屋２３および第３中間部屋２４の出入口２３ａ，２４ａが前記第３踊り場３３ａに面して設けられていることによって、この第３踊り場３３ａを介して前記第２中間部屋２３および第３中間部屋２４と、前記階段室３０との間を容易に行き来することができる。
【００１６】
また、前記第２中間部屋２３および第３中間部屋２４は、これら第２中間部屋２３および第３中間部屋２４の上部が前記建物躯体Ａ１の小屋裏Ａ２に突出するようにして設けられているので、これら第２中間部屋２３および第３中間部屋２４を建物本体Ａ１内に形成するにあたって、第２中間部屋２３および第３中間部屋２４の高さ分、建物Ａを高くする必要がない。これによって、隣接する住宅等の建物への採光、通風をできるだけ確保することが可能となる。
【発明の効果】
【００１７】
本発明によれば、階段室は、下階床と第１中間床とを連絡する第１階段と、第１中間床と上階床とを連絡する第２階段と、上階床と第２中間床とを連絡する第３階段とを備えているので、これら各階段によって、建物内の高さの異なる床どうしを連絡することができる。したがって、建物本体の略中央に、高さの異なる床間を連絡する動線としての階段室を確保でき、高さの異なる床間を容易かつ確実に行き来することができる。
そして、各床上には、部屋および収納室のうちの少なくとも一方が、階段室に隣接するようにして設けられているので、従来とは異なり、この階段室を通じて、これら床上に設けられる部屋と部屋との間や収納室と収納室との間、部屋と収納室との間を容易かつ確実に行き来することが可能となる。
【発明を実施するための最良の形態】
【００１８】
以下、図面を参照して本発明の実施の形態について説明する。
なお、本実施の形態において説明する建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１９】
本実施の形態の建物Ａは、図１〜図４に示すように、上階２と下階１とを備え、下階床１ａの一部の上に第１中間床１ｂが設けられるとともに、上階床２ａの一部の上に第２中間床２ｂが設けられたものであり、建物本体Ａ１の略中央に、この建物本体Ａ１の上下方向に沿って階段室３０が設けられており、この階段室３０は、前記下階床１ａと第１中間床１ｂとを連絡する第１階段３１と、前記第１中間床１ｂと上階床２ａとを連絡する第２階段３２と、前記上階床２ａと第２中間床２ｂとを連絡する第３階段３３とを備えており、前記各床１ａ，１ｂ，２ａ，２ｂ上には、部屋および収納室のうちの少なくとも一方が、前記階段室３０に隣接するようにして設けられている。
【００２０】
なお、本実施の形態の建物Ａは、上述したように上階２と下階１とを備えており、各階１，２に複数の部屋および収納室等が設けられた２階建ての建物となっている。すなわち、前記下階床１ａ上には部屋１０が設けられるとともに、上階床２ａ上には部屋２０，２１が設けられている。
また、図１および図３，図５に示すように、前記下階床１ａの一部の上に設けられた第１中間床１ｂと前記第２中間床との間に、第１中間部屋１５が、前記上階床２ａの一部を貫通して前記上階２に突出するようにして設けられるとともに、前記第１中間床１ｂと前記下階床１ａとの間には、前記下階の部屋１０および前記階段室３０に隣接する低天井収納室１６が設けられている。
また、前記上階床２ａと第２中間床２ｂとの間に、前記上階に設けられる部屋２１および前記階段室３０に隣接する低天井収納室２２が設けられている。
さらに、図１および図４，図５に示すように、前記第２中間床２ｂ上には、前記低天井収納室２２の直上に位置する第２中間部屋２３と、前記第１中間部屋１５の直上に位置する第３中間部屋２４とが設けられている。
【００２１】
さらに、上述したように、前記建物本体Ａ１の略中央に、この建物本体Ａ１の上下方向に沿って階段室３０が設けられている。
この階段室３０は、前記各階段３１，３２，３３の他にも、図１〜図４に示すように、前記第１階段３１と第２階段３２との間に設けられ、前記第１中間床１ｂと略等しい高さに位置する第１踊り場３１ａと、前記第２階段３２と第３階段３３との間に設けられ、前記上階床２ａと略等しい高さに位置する第２踊り場３２ａと、前記第３階段３３の上端に設けられ、前記第２中間床２ｂと略等しい高さに位置する第３踊り場３３ａとを備えている。これによって、前記階段室３０と、前記各床１ａ，１ｂ，２ａ，２ｂとの間の行き来がしやすくなり、このような各踊り場３１ａ，３２ａ，３３ａを備える階段室３０を通じて、高さの異なる床１ａ，１ｂ，２ａ，２ｂ間を容易かつ確実に行き来できるようになっている。
【００２２】
なお、本実施の形態の階段室３０は、図１〜図４に示すように、いわゆる折返し階段の形態を採用している。
すなわち、前記第１階段３１は、図２および図３に示すように、前記下階床１ａから第１踊り場３１ａに向けて段々に迫り上がっており、前記第２階段は、前記第１階段３１が迫り上がる方向とは逆方向となるように、前記第１踊り場３１ａから第２踊り場３２ａに向けて段々に迫り上がっている。また、前記第３階段３３は、図３および図４に示すように、前記第２階段３２が迫り上がる方向とは逆方向となるように、前記第２踊り場３２ａから第３踊り場３３ａに向けて段々に迫り上がっている。
【００２３】
ここで、前記下階の部屋１０は、図２に示すように、リビング・ダイニング・キッチンからなる共用居住空間であり、この下階の部屋１０および前記階段室３０に隣接して、風呂・洗面室・トイレ等が配置されている。
また、この下階の部屋１０に隣接して玄関室１２が配置されている。さらに、この玄関室１２に対して、玄関土間１２ｂから一段上がった玄関ホール１２ａを介して、前記低天井収納室１６に隣接する玄関収納部１３が連なるようにして設けられている。
【００２４】
一方、この下階の部屋１０は、この下階の部屋１０の天井１０ａの一部が高く形成されることによって高天井部１１を有している。この高天井部１１は、図３および図５に示すように、前記下階の部屋１０と前記第１中間部屋１５および低天井収納室１６との間の境界付近に設けられている。
【００２５】
そして、この高天井部１１は、前記第１通気部１１ｂおよび第２通気部１１ｃを備えている。これら第１通気部１１ｂおよび第２通気部１１ｃは、それぞれ通風および採光機能を有しており、例えば、ガラス等の透光性を有する材料を主体として形成され、開閉可能に構成された引違い窓の形態や、複数の水平羽板を備えるルーバー状の部材が取り付けられるような形態が採用されている。この他にも、種々の形態が挙げられるが、本発明の趣旨を逸脱しない範囲で適宜変更可能である。
【００２６】
このような高天井部１１の構造を採用することによって、暖かい空気がより高い所へと上昇していく性質を利用することで前記下階の部屋１０内の暖かい空気を前記高天井部１１へと上昇させて溜めることができるようになっている。そして、この高天井部１１は、前記第１中間部屋１５に面して設けられる第１通気部１１ｂと、この第１通気部１１ｂに対向して設けられる第２通気部１１ｃとを備えていることから、これら第１通気部１１ｂおよび第２通気部１１ｃが対向する方向に沿って通風させることで、前記高天井部１１に溜まる暖かい空気を前記第１通気部１１ｂおよび第２通気部１１ｃを通じて排出したり、前記第１中間部屋１５の換気を行うことができるので、自然換気を容易かつ確実に行うことができ、夏場においても快適な居住環境を形成することが可能となる。
【００２７】
しかも、建物Ａ内の複数の部屋には、それぞれ窓１０ｃ，１５ｄ，１６ｄ，２０ｃが設けられている。すなわち、図３および図５に示すように、前記第１中間部屋１５には、前記第１通気部１１ｂに対向する外壁１５ｃに窓１５ｄが設けられるとともに、前記上階の部屋２０には、前記第２通気部１１ｃに対向する外壁２０ｂに窓２０ｃが設けられている。また、前記低天井収納室１６の出入口１６ａに対向する外壁１６ｃにも窓１６ｄが設けられるとともに、この低天井収納室１６の窓１６ｄに対向するようにして、前記下階の部屋１０の外壁１０ｂに窓１０ｃが設けられている。
このように建物Ａ内の各所に窓１０ｃ，１５ｄ，１６ｄ，２０ｃが設けられることによって、これら窓１０ｃ，１５ｄ，１６ｄ，２０ｃを通じて、外部の空気を吹き込ませたり、建物Ａ内の暖かい空気を外部に排出したりできるので、前記高天井部１１の構造による建物Ａ内の換気性能をより高めることができ、好ましい。
【００２８】
なお、前記第１通気部１１ｂおよび第２通気部１１ｃは、通風だけでなく採光機能を有していることから、これら第１通気部１１ｂおよび第２通気部１１ｃが対向する方向に沿って陽光が差し込むこととなるので、前記高天井部１１の下方や第１中間部屋１５の採光性を向上させることができるようになっている。
【００２９】
一方、前記第１中間床１ｂと下階床１ａとの間に設けられる前記低天井収納室１６は、日用品等を収納する収納スペースとして利用されており、その天井高が１．４ｍに設定されているが、０．９ｍ〜１．４ｍの高さ範囲であれば、これに限られるものではない。
すなわち、このように低天井収納室１６の天井高を０．９ｍ〜１．４ｍに設定することによって、居住者が低天井収納室１６に入って、何とか作業ができる最低限の高さを確保でき、また、このように天井高を必要最低限に押さえることで、建物Ａの高さが高くなることによって隣接する建物に及ぼす日照現象等の影響を極力少なくすることができる。
【００３０】
また、この低天井収納室１６は、図２および図５に示すように、前記下階１に設けられる部屋１０に隣接するとともに、この下階の部屋１０に隣接する玄関室１２に連なる玄関収納部１３に隣接して配置されており、前記低天井収納室１６には、前記下階の部屋１０との間に、この下階の部屋１０に面する出入口１６ａが設けられるとともに、前記玄関収納部１３との間に、この玄関収納部１３に面する出入口１６ｂが設けられている。
これにより、例えば、建物Ａ内で使用する物品は、前記下階の部屋１０から収納することができ、外部で使用する物品は、前記玄関室１２を介して玄関収納部１３から収納することができ、使い勝手が良い。
【００３１】
さらに、この低天井収納室１６は、図１〜図３に示すように、前記階段室３０の踊り場３１ａの下方に設けられ、前記低天井収納室１６と略等しい天井高を有する補助スペース１７と連続している。しかも、これら低天井収納室１６および補助スペース１７は、前記下階床１ａよりも床面の高さが一段低い低床部１８を備えており、これら低天井収納室１６と補助スペース１７とは、一体化された一つの空間として認識されることとなる。
【００３２】
そして、これら低天井収納室１６および補助スペース１７は、図２および図５に示すように、前記下階の部屋１０に面する出入口１６ａ側に、前記下階床１ａと略等しい高さを有し、かつ該下階床１ａに隣接する高床部１９を備えている。
これにより、この高床部１９を通じて、前記低天井収納室１６および補助スペース１７と、前記下階の部屋１０との間の行き来が容易となり、これら低天井収納室１６および補助スペース１７と、前記下階の部屋１０との間での物品の搬入や搬出がしやすく、使い勝手が良い。
【００３３】
また、前記玄関収納部１３は、図２に示すように、前記下階床１ａよりも床面の高さが一段低い低床部１３ａを備えており、この玄関収納部１３の低床部１３ａは、前記低天井収納室１６および補助スペース１７の低床部１８と略等しい高さを有している。
これにより、前記低天井収納室１６および補助スペース１７と、前記玄関収納部１３との間の行き来が容易となり、これら低天井収納室１６および補助スペース１７と、前記玄関収納部１３との間での物品の搬入や搬出がしやすく、使い勝手が良い。
【００３４】
なお、この玄関収納部１３は、前記低床部１３ａだけでなく、前記玄関室１２側に、前記下階床１ａと略等しい高さを有し、かつ該下階床１ａに隣接する高床部１３ｂを備えている。したがって、玄関室１２と玄関収納部１３との間の行き来が容易となり、これら玄関室１２と玄関収納部１３との間での物品の搬入や搬出がしやすく、使い勝手が良い。
【００３５】
その上、前記低天井収納室１６および補助スペース１７の低床部１８と、前記玄関収納部１３の低床部１３ａとは土間床で構成されている。
したがって、これら低床部１８，１３ａに、特に外部で使用する物品を収納することが好適となる。すなわち、これら低床部１８，１３ａは、前記下階床１ａよりも床面が一段低いので、例えば物品に泥水が付着していたとしても、この泥水が下階の部屋１０等に浸入することを防ぐことができる。
つまり、外部で使用した物品を、低天井収納室１６に収納する場合は、前記玄関室１２の玄関土間１２ｂから玄関ホール１２ａを経由して、前記下階の部屋１０を通過することなく、前記玄関収納部１３を通過して、前記低天井収納室１６へと収納する。
【００３６】
続いて、図１〜図３に示すように、前記階段室３０の第１階段３１を上って下階床１ａから第１中間床１ｂまで上がる。
この第１中間床１ｂ上には、上述のように第１中間部屋１５が設けられている。また、この第１中間部屋１５には、前記第１踊り場３１ａとの間に、この第１踊り場３１ａに面する出入口１５ａが設けられている。
すなわち、この第１中間部屋１５は、前記階段室３０に出入口１５ａを向けるようにして、前記第１中間床１ｂと第２中間床２ｂとの間に設けられることとなる。したがって、前記第１中間部屋１５に出入りするためには、前記階段室３０を必ず通過することとなるので、このように前記第１中間部屋１５の出入口１５ａが前記第１踊り場３１ａに面して設けられていることによって、この第１踊り場３１ａを介して前記第１中間部屋１５と階段室３０との間を容易に行き来することができるようになっている。
【００３７】
また、このように、前記第１中間床１ｂと第２中間床２ｂとの間に、第１中間部屋１５が、前記上階床２ａの一部を貫通して前記上階２に突出するようにして設けられているので、この第１中間部屋１５を建物本体Ａ１内に形成するにあたって、第１中間部屋１５の高さ分、建物Ａを高くする必要がない。これによって、隣接する住宅等の建物への採光、通風をできるだけ確保することが可能となっている。
【００３８】
なお、前記第１中間部屋１５は、建物本体Ａ１を構成する外壁に沿って配置されるものであり、前記高天井部１１に隣接して配置されるとともに、前記高天井部１１の天井１１ａと同一高さの天井１５ｂを備えている。そして、これら第１中間部屋１５の天井１５ｂおよび高天井部１１の天井１１ａは、図５に示すように、前記上階床２ａの一部の上に設けられる第２中間床２ｂと略同じ高さ位置に設定されている。
【００３９】
続いて、図１〜図３に示すように、前記階段室３０の第２階段３２を上って第１中間床１ｂから上階床２ａまで上がる。
この上階床２ａ上には、上述したように、前記下階１に設けられる部屋１０の直上に位置する上階の部屋２０，２１が設けられるとともに、前記上階床２ａと第２中間床２ｂとの間に、前記上階の部屋２０，２１に隣接する低天井収納室２２が設けられている。
【００４０】
また、これら上階の部屋２０，２１および低天井収納室２２には、前記第２踊り場３２ａとの間に、この第２踊り場３２ａに面する出入口２０ａ，２１ａ，２２ａがそれぞれ設けられている。
これにより、これら上階の部屋２０，２１および低天井収納室２２は、前記階段室３０に出入口２０ａ，２１ａ，２２ａを向けるようにして、前記上階床２ａ上に設けられることとなる。したがって、前記上階の部屋２０，２１および低天井収納室２２に出入りするためには、前記階段室３０を必ず通過することとなるので、このように前記上階の部屋２０，２１および低天井収納室２２の出入口２０ａ，２１ａ，２２ａが前記第２踊り場３２ａに面して設けられていることによって、この第２踊り場３２ａを介して前記上階の部屋２０，２１および低天井収納室２２と、前記階段室３０との間を容易に行き来することができるようになっている。
【００４１】
なお、前記上階の部屋２０は、図３および図５に示すように、前記高天井部１１に隣接して配置されるとともに前記第２通気部１１ｃに面している。
また、この上階の部屋２０は、前記玄関室１２の上部の小屋部１４と隣接しており、この小屋部１４との間に出入口を形成することによって小屋部１４の内部と行き来可能となっている。そして、この小屋部１４の内部には、図１および図３に示すように、小屋裏収納部１４ａが設けられており、この小屋裏収納部１４ａは、前記低天井収納室１６と同じく、日用品等を収納する収納スペースとして利用されており、その天井高が０．９ｍ〜１．４ｍに設定されている。
【００４２】
また、前記低天井収納室２２は、前記低天井収納室１６と同じく、日用品等を収納する収納スペースとして利用されており、その天井高が０．９ｍ〜１．４ｍに設定されているものとする。
【００４３】
続いて、図１および図４に示すように、前記階段室３０の第３階段３３を上って上階床２ａから第２中間床２ｂまで上がる。
この第２中間床２ｂ上には、上述したように、前記低天井収納室２２の直上に位置する第２中間部屋２３と、前記第１中間部屋１５の直上に位置する第３中間部屋２４とが設けられている。
【００４４】
また、これら第２中間部屋２３および第３中間部屋２４には、図４に示すように、前記第３踊り場３３ａとの間に、この第３踊り場３３ａに面する出入口２３ａ，２４ａがそれぞれ設けられている。
これにより、これら第２中間部屋２３および第３中間部屋２４は、前記階段室３０に出入口２３ａ，２４ａを向けるようにして、前記第２中間床２ｂ上に設けられることとなる。したがって、前記第２中間部屋２３および第３中間部屋２４に出入りするためには、前記階段室３０を必ず通過することとなるので、このように前記第２中間部屋２３および第３中間部屋２４の出入口２３ａ，２４ａが前記第３踊り場３３ａに面して設けられていることによって、この第３踊り場３３ａを介して前記第２中間部屋２３および第３中間部屋２４と、前記階段室３０との間を容易に行き来できるようになっている。
【００４５】
さらに、これら第２中間部屋２３および第３中間部屋２４は、図５に示すように、これら第２中間部屋２３および第３中間部屋２４の上部が前記建物躯体Ａ１の小屋裏Ａ２に突出するようにして設けられている。
これによって、これら第２中間部屋２３および第３中間部屋２４を建物本体Ａ１内に形成するにあたって、第２中間部屋２３および第３中間部屋２４の高さ分、建物Ａを高くする必要がない。これによって、隣接する住宅等の建物への採光、通風をできるだけ確保することが可能となっている。
【００４６】
その上、このように前記第２中間部屋２３および第３中間部屋２４が、これら第２中間部屋２３および第３中間部屋２４の上部を前記建物躯体Ａ１の小屋裏Ａ２に突出させるようにして設けられることによって、前記低天井収納室１６，２２を建物本体Ａ１内に形成するにあたって、低天井収納室１６，２２の高さ分、建物Ａを高くする必要がないので、隣接する住宅等の建物への採光、通風をできるだけ確保することが可能となる。
【００４７】
なお、前記第２および第３中間部屋２３，２４は、図４および図５に示すように、前記第２中間床２ｂよりも高い位置、すなわち、前記上階の部屋２０，２１の天井レベルに、それぞれロフト２３ｂ，２４ｂを備えている。なお、これらロフト２３ｂ，２４ｂは、前記低天井収納室１６と同じく、日用品等を収納する収納スペースとして利用されており、その天井高が０．９ｍ〜１．４ｍに設定されている。
また、これらロフト２３ｂ，２４ｂに対向する位置にはクローゼット２３ｃ，２４ｃが設けられている。
【００４８】
以上のようにして、本実施の形態の建物Ａを収納や換気、高さの異なる床間を連絡する動線に考慮したものとして構築することができるようになっている。
【００４９】
本実施の形態によれば、前記階段室３０は、前記下階床１ａと第１中間床１ｂとを連絡する第１階段３１と、前記第１中間床１ｂと上階床２ａとを連絡する第２階段３２と、前記上階床２ａと第２中間床２ｂとを連絡する第３階段３３とを備えているので、これら各階段３１，３２，３３によって、建物Ａ内の高さの異なる床１ａ，１ｂ，２ａ，２ｂどうしを連絡することができる。したがって、前記建物本体Ａ１の略中央に、高さの異なる床１ａ，１ｂ，２ａ，２ｂ間を連絡する動線としての階段室３０を確保でき、高さの異なる床１ａ，１ｂ，２ａ，２ｂ間を容易かつ確実に行き来することができる。
そして、前記各床１ａ，１ｂ，２ａ，２ｂ上には、部屋および収納室のうちの少なくとも一方が、前記階段室３０に隣接するようにして設けられているので、従来とは異なり、この階段室３０を通じて、これら床１ａ，１ｂ，２ａ，２ｂ上に設けられる部屋と部屋との間や収納室と収納室との間、部屋と収納室との間を容易かつ確実に行き来することが可能となる。
【図面の簡単な説明】
【００５０】
【図１】本発明の実施の形態に係る建物であり、各床および階段、各収納スペースの概要を示す斜視図である。
【図２】同、１階および低天井収納室を示す平面図である。
【図３】同、１階の中間部屋および２階を示す平面図である。
【図４】同、２階の中間部屋およびロフトを示す平面図である。
【図５】同、各床および各収納スペース、各部屋の概要を示す側断面図である。
【符号の説明】
【００５１】
Ａ  建物
１  下階
１ａ  下階床
１ｂ  第１中間床
２  上階
２ａ  上階床
２ｂ  第２中間床
３０  階段室
３１  第１階段
３２  第２階段
３３  第３階段
【図１】
2009035880.tif 000003
【図２】
2009035880.tif 000004
【図３】
2009035880.tif 000005
【図４】
2009035880.tif 000006
【図５】
2009035880.tif 000007